(57)【要約】      （修正有）【課題】鉛筆に装着したグリップにキャップを取り付け、このキャップにより鉛筆の先端部を覆って保護することができ、この状態からキャップをグリップから取り外すだけで鉛筆の先端部を露出させることができる鉛筆用補助具を提供する。【解決手段】鉛筆２に装着されるグリップ３を備える。グリップ３に着脱自在に取り付けられてグリップ３を装着した鉛筆２の先端部を覆うキャップ４を備える。【選択図】図１
0003178194.tif 000002
【実用新案登録請求の範囲】
【請求項１】
鉛筆に装着されるグリップと、該グリップに着脱自在に取り付けられて該グリップを装着した鉛筆の先端部を覆うキャップとを備えたことを特徴とする鉛筆用補助具。
【考案の詳細な説明】
【技術分野】
【０００１】
本考案は鉛筆の先端側部分に取り付けられる鉛筆用補助具に関する。
【背景技術】
【０００２】
特許文献１には鉛筆用のキャップが開示されている。このキャップは鉛筆の先端側部分に取り付けられ、鉛筆の芯先が存在する先端部を覆って保護する。
【０００３】
他方、従来より鉛筆用のグリップが利用されている。一般的なグリップは鉛筆の先端側部分に装着される。当該グリップの形状や材質は持ち易さを考慮して決定されており、このグリップを親指、中指、及び人差し指の三指で握ることで、鉛筆を正しい持ち方で安定して保持することが可能となる。
【先行技術文献】
【特許文献】
【０００４】
【特許文献１】実用新案登録第３０８９１１３号公報
【考案の概要】
【考案が解決しようとする課題】
【０００５】
ところで、前記グリップはキャップと同様に鉛筆の先端側部分に取り付けられるため、グリップを取り付けた鉛筆には当該グリップが邪魔になってキャップを取り付けることができない。このため、鉛筆の先端部を保護するには、鉛筆に装着されたグリップを取り外し、この後、鉛筆の先端側部分にキャップを取り付ける必要があって手間がかかる。
【０００６】
本考案は上記事情に鑑みてなされたものであって、グリップとキャップを簡単に利用できる鉛筆用補助具を提供することを課題とする。
【課題を解決するための手段】
【０００７】
上記課題を解決するために本考案の鉛筆用補助具は、鉛筆２に装着されるグリップ３と、該グリップ３に着脱自在に取り付けられて該グリップ３を装着した鉛筆２の先端部を覆うキャップ４とを備えたことを特徴とする。
【考案の効果】
【０００８】
本考案にあっては、鉛筆に装着したグリップにキャップを取り付け、このキャップにより鉛筆の先端部を覆って保護することができる。また、この状態からキャップをグリップから取り外すだけで鉛筆の先端部を露出させることができる。従って、簡単にグリップとキャップの両者を利用できる。
【図面の簡単な説明】
【０００９】
【図１】本考案の実施形態の鉛筆用補助具と鉛筆を示す斜視図である。
【図２】同上の鉛筆用補助具を鉛筆に取り付けた状態を示す縦断面図である。
【考案を実施するための形態】
【００１０】
以下本考案を添付図面に基づいて説明する。本実施形態の鉛筆用補助具１は、図２に示されるように鉛筆２の先端側部分に着脱自在に取り付けられて利用される。
【００１１】
鉛筆用補助具１は、図１に示されるように、鉛筆２の先端側部分に着脱自在に取り付けられるグリップ３と、図２に示されるようにグリップ３に着脱自在に取り付けられるキャップ４とで構成されている。グリップ３及びキャップ４は共に合成樹脂製である。
【００１２】
グリップ３は、通常、予め先端部１４を円錐状に削って芯先を露出させた鉛筆２に取り付けられる。グリップ３は筒状に形成されており、その内側には軸方向に貫通した鉛筆挿通孔５が形成されている。鉛筆挿通孔５（後述の鉛筆当接面１３を除く）は、その断面形状が鉛筆２の軸部２０（すなわち円錐状の先端部１４よりも後方の部分）の断面形状と近似した円形である。グリップ３は鉛筆２の先端側の軸部２０を鉛筆挿通孔５に挿通させることで鉛筆２の外側に嵌め付けられる。なお、鉛筆２の断面形状としては、円形、三角形、四角形、六角形等種々あるが、鉛筆挿通孔５はこれら複数種類の鉛筆２の断面形状に近似した断面形状とすることで、複数種類の鉛筆２を嵌め付けられるようにすることが好ましい。勿論、これらのうちの一種類のみの鉛筆２を鉛筆挿通孔５に嵌め付けけられるようにしてもよい。
【００１３】
図２に示されるようにグリップ３の軸方向における一端部は、鉛筆２を鉛筆挿通孔５に挿入するための挿入口部６を構成している。また、グリップ３の軸方向における他端部は、鉛筆挿通孔５に挿入された鉛筆２の先端部１４をグリップ３外部に突出させるための突出口部７を構成している。以下、グリップ３の軸方向を前後方向とし、挿入口部６側を後方、突出口部７側を前方として説明する。
【００１４】
グリップ３は軟質樹脂と硬質樹脂の二色成形によって成形されており、突出口部７を含む前半部９が軟質樹脂で構成され、挿入口部６を含む後半部１０が硬質樹脂で構成されている。すなわち、鉛筆挿通孔５の前半部は軟質樹脂である前半部９で囲まれた領域となり、鉛筆挿通孔５の後半部は硬質樹脂である後半部１０で囲まれた領域となる。
【００１５】
このようにグリップ３の挿入口部６を含む後半部１０を硬質樹脂とすることで、鉛筆挿通孔５に鉛筆２が挿入される際における鉛筆２のグリップ３の内周面に対する抵抗が小さくなる。また、グリップ３の後半部１０の内径は前半部９の内径よりも僅かに大きくなっている。従って、鉛筆２を鉛筆挿通孔５に容易に挿入することができる。
【００１６】
他方、グリップ３の前半部９の内周は鉛筆２の外形よりも僅かに小さくされており、これにより前記鉛筆挿通孔５に挿通された鉛筆２は軟質樹脂で形成された前半部９に圧入されるようになっている。これにより、グリップ３を鉛筆２にしっかりと取り付けることができる。なお、前記軟質樹脂としてはＡＢＳ樹脂が用いられ、前記軟質樹脂としては熱可塑性エラストマー（ＴＰＥ）が用いられるが、これに限定されるものではない。
【００１７】
グリップ３の前半部９における突出口部７よりも後側の部分は、親指、人差し指、及び中指の三指を用いて保持される被保持部８を構成している。図１に示されるように被保持部８の外周面は前記三指を用いて持ち易い略正三角形状に形成されている。なお、本実施形態では後半部１０の外周面も被保持部８の外周面に連続する略正三角形状に形成されている。
【００１８】
前記略正三角形状とした被保持部８の外周面の三面のうちの第一面は、親指を当てる親指当接部を構成する。また、第二面は人差し指を当てる人差し指当接部を構成し、第三面は中指を当てる中指当接部を構成する。これら親指当接部、人差し指当接部、中指当接部の夫々には、グリップ３の内側に向けてわずかに窪んだ窪み部１１が形成されている。被保持部８を保持するには、親指当接部の窪み部１１に親指の腹を当て、人差し指当接部の窪み部１１に人差し指の腹を当て、中指当接部の窪み部１１に中指の側面を当てる。このように各窪み部１１に対応する指を当てることで、鉛筆２に当てた指がグリップ３に対して滑り難くなり、また、正しい持ち方で鉛筆２を保持できるようになっている。また、被保持部８は軟質樹脂で形成されており、この点でも鉛筆２に当てた指がグリップ３に対して滑り難くなっている。
【００１９】
グリップ３の前端部に位置する突出口部７は円筒状に形成され、図２に示されるように被保持部８の内縁部から前方に向かって突出している。突出口部７の前端部の内周面は前側程小径となるテーパー状に形成されている。同面は鉛筆挿通孔５に挿通された鉛筆２の円錐状の先端部１４の外周面が当接する鉛筆当接面１３を構成している。鉛筆当接面１３は鉛筆挿通孔５に挿入された鉛筆２が前方に抜け出ることを防止するストッパーとして機能する。
【００２０】
グリップ３を鉛筆２に取り付けるには、鉛筆２の先端側部分をグリップ３の挿入口部６から鉛筆挿通孔５に挿入する。この挿入は、鉛筆２の円錐状の先端部１４の後端部外周面が鉛筆当接面１３に当接するまで行われる。このようにグリップ３に鉛筆２を挿入することで、グリップ３が鉛筆２の軸部２０の先端部１４側の端部に嵌め付けられる。また、このようにグリップ３を鉛筆２に取り付けた状態においては、鉛筆２の先端部１４が突出口部７より前方に突出する。
【００２１】
グリップ３の円筒状の突出口部７は、キャップ４を嵌め込むための嵌込部を構成している。突出口部７の外周面は被保持部８の外周面よりも内側に位置している。また、突出口部７の外周面は段差面を介して被保持部８の外周面に接続される。ここで、前記被保持部８の外縁部の前端面で構成される段差面は、突出口部７に嵌め付けたキャップ４の端面が当たる当て部１２を構成している。
【００２２】
キャップ４は外周面が先細りとなる略三角錐状に形成されており、この外周面はキャップ４をグリップ３に取り付けたときにグリップ３の被保持部８の外周面と連続する。以下、キャップ４の軸方向を前後方向とし、キャップ４の先端側を前方、反対側を後方として説明する。
【００２３】
キャップ４は硬質樹脂１７と軟質樹脂１８の二色成形によって成形されている。軟質樹脂１８はキャップ４の後端部における表面にのみ設けられており、キャップ４をグリップ３に取り付けたときにグリップ３の軟質樹脂で構成された被保持部８の外面と連続する。これによりキャップ４をグリップ３に取り付けたときの意匠性が向上する。なお、グリップ３と同様、硬質樹脂１７としてはＡＢＳ樹脂が用いられ、軟質樹脂１８としては熱可塑性エラストマー（ＴＰＥ）が用いられるが、これに限定されるものではない。また、キャップ４は硬質樹脂１７のみ、あるいは軟質樹脂１８のみで形成しても構わない。また、キャップ４はその内側に配置される鉛筆２の先端部１４を視認できるように透明又は半透明の材料で形成してもよい。勿論、不透明の材料で形成してもよい。
【００２４】
キャップ４の内側には後方に向かって開口したキャップ穴１５が形成されている。キャップ穴１５は大略円錐状の孔である。キャップ４の後端部は前後方向において内径が一定となる円筒状に形成され、同部はグリップ３の突出口部７の外側に着脱自在に嵌め付けられる被嵌込部１６を構成している。
【００２５】
キャップ４は、図２に示されるように鉛筆２に取り付けた状態にあるグリップ３に以下のように取り付けることができる。キャップ４をグリップ３に取り付けるには、被嵌込部１６をグリップ３の突出口部７の外側に嵌め付け、キャップ４の後端面をグリップ３の当て部１２に当接する。このようにすることでグリップ３の軟質樹脂で構成された突出口部７はキャップ４の被嵌込部１６の内側に圧入されることとなり、これによりキャップ４をグリップ３にしっかりと取り付けることができる。なお、グリップ３の突出口部７の前端部の外周面は前側程小径となるテーパー状に形成されており、これにより突出口部７にキャップ４を容易に嵌め付けられるようになっている。
【００２６】
上記のように鉛筆２に取り付けたグリップ３にキャップ４を取り付けることで、グリップ３の突出口部７から突出した鉛筆２の先端部１４をキャップ４により覆って鉛筆２の先端部１４を保護することができる。なお、グリップ３からキャップ４を取り外すには、突出口部７からキャップ４を引き抜けばよい。
【００２７】
また、キャップ４は以下の構成によりグリップ３から取り外したときに鉛筆２の後端部の外側に着脱自在に嵌め付けられるようになっている。キャップ４のキャップ穴１５を形成する内周面における被嵌込部１６よりも前方に位置する部分は、鉛筆２の軸部２０を嵌め込み可能な嵌込孔部１９となっている。この嵌込孔部１９の断面形状は鉛筆２の軸部２０の断面形状と近似した円形であり、該嵌込孔部１９は前後方向の所定範囲において孔径が一定である。
【００２８】
グリップ３から取り外したキャップ４は、キャップ穴１５に鉛筆２の後端部を挿入し、この鉛筆２の後端部を被嵌込部１６に嵌め付けることにより、鉛筆２に嵌め付けることができる。このため、例えば鉛筆２の利用時においてグリップ３から取り外したキャップ４を鉛筆２の後端部に取り付けることで、キャップ４を紛失し難くすることができる。
【００２９】
以上説明した本実施形態の鉛筆用補助具１は、鉛筆２に装着されるグリップ３と、グリップ３に着脱自在に取り付けられてグリップ３を装着した鉛筆２の先端部を覆うキャップ４を備えている。この構成により、鉛筆２に取り付けたグリップ３にキャップ４を取り付け、このキャップ４により鉛筆２の先端部１４を覆って保護することができる。また、この状態からキャップ４をグリップ３から取り外すだけで鉛筆２の先端部１４を露出させることができる。このため、簡単にグリップ３とキャップ４の両者を利用できる。
【００３０】
なお、本考案は上述した実施形態に限定されるものではなく、本考案の趣旨を逸脱しない範囲内で適宜設計変更可能である。
【符号の説明】
【００３１】
１  鉛筆用補助具
２  鉛筆
３  グリップ
４  キャップ
【図１】
0003178194.tif 000003
【図２】
0003178194.tif 000004
【手続補正書】
【提出日】平成24年6月22日(2012.6.22)
【手続補正１】
【補正対象書類名】明細書
【補正対象項目名】００１６
【補正方法】変更
【補正の内容】
【００１６】
他方、グリップ３の前半部９の内周は鉛筆２の外形よりも僅かに小さくされており、これにより前記鉛筆挿通孔５に挿通された鉛筆２は軟質樹脂で形成された前半部９に圧入されるようになっている。これにより、グリップ３を鉛筆２にしっかりと取り付けることができる。なお、前記硬質樹脂としてはＡＢＳ樹脂が用いられ、前記軟質樹脂としては熱可塑性エラストマー（ＴＰＥ）が用いられるが、これに限定されるものではない。